(57)【特許請求の範囲】
【請求項１】
収納扉の上部に形成され、扉正面の上端から内方に湾曲する指掛け部と、該指掛け部から立ち上がり扉背面の上部正面側となる取手正面とからなる断面Ｊ字状の取手部に取付ける取付構造を備えるとともに、物品を保持するための保持部材を備える物品保持具であって、
前記取付構造は、前記扉背面を押える扉背面押え部と、前記取手部上方に引掛ける引掛け部と、前記取手正面と前記扉正面との間に配設される第一当接部と、からなる第一取付部材と、
前記扉正面を押圧する扉正面押え部と、前記取手正面を押圧する取手正面押え部と、前記取手正面と前記扉正面との間に配設される第二当接部と、からなる第二取付部材と、
前記第一当接部と前記第二当接部とを締結して当接させる締結具と、を備えることを特徴とする物品保持具。
【請求項２】
扉背面押え部は、引掛け部を扉上面に引掛け、第一当接部と第二当接部とが当接しない程度に締結して仮止めした状態において、扉背面側に傾斜していることを特徴とする請求項１記載の物品保持具。
【請求項３】
パッド部材は、弾性及び摩擦力を有し、扉正面押え部と、取手正面押え部と、扉背面押え部と、引掛け部と、に備えられていることを特徴とする請求項１又は２のいずれか一項に記載の物品保持具。
【請求項４】
締結具は、ねじと、該ねじのねじ頭周囲を樹脂材で被覆して形成されるつまみ部と、からなることを特徴とする請求項１記載の物品保持具。
【発明の詳細な説明】
【技術分野】
【０００１】
本発明は、収納扉の取手部に取付けることが可能な取付構造を備えた物品保持具に関する。
【背景技術】
【０００２】
従来、タオルハンガーなどをキッチンや洗面所の収納扉の扉上部の取手部に取付けるための種々の物品保持具が提案されており、例えば、特許文献１によれば、扉上部全体に渡って備えられたＬ字ライン取手の持ち手部を挟持して取付ける取付構造を備えたタオルハンガーが提案されている。
【先行技術文献】
【特許文献】
【０００３】
【特許文献１】特開２０１４―６８７４４号公報
【発明の概要】
【発明が解決しようとする課題】
【０００４】
一方、取手部と収納扉とが意匠的に統一されたものとするため、図４に示すように、収納扉６０上部の幅方向全体に渡って、扉正面６１と扉背面６２との間の取手正面６４と、扉正面６１に延設された指掛け部６５と、からなる断面略Ｊ字状の取手部６３を有している一体成形加工された収納扉６０（いわゆるＪ型扉という）が普及しつつある。
【０００５】
しかしながら、この収納扉６０の取手部６３（特に指掛け部６５）は強度が弱いため、この取手部６３に従来の物品保持具を取付けた場合、従来の物品保持具の押圧挟持による負荷によってこの取手部６３が損傷する恐れがある。
【０００６】
したがって、取手部周辺、特に指掛け部、を押圧挟持することなく、すなわちその箇所に力を集中させることなく、収納扉６０に強固に取付けることが可能な取付構造を備えた物品保持具を提供することを目的とする。
【課題を解決するための手段】
【０００７】
本発明は、上記課題に鑑み、収納扉の上部に形成され、扉正面の上端から内方に湾曲する指掛け部と、該指掛け部から立ち上がり扉背面の上部正面側となる取手正面とからなる断面略Ｊ字状の取手部に取付ける取付構造を備えるとともに、物品を保持するための保持部材を備える物品保持具であって、前記取付構造は、前記扉背面を押える扉背面押え部と、前記取手部上方に引掛ける引掛け部と、前記取手正面と前記扉正面との間に配設される第一当接部と、からなる第一取付部材と、前記扉正面を押圧する扉正面押え部と、前記取手正面を押圧する取手正面押え部と、前記取手正面と前記扉正面との間に配設される第二当接部と、からなる第二取付部材と、前記第一当接部と前記第二当接部とを締結して当接させる締結具と、を備えることを特徴とする。
【０００８】
また、上述した構成に加え、扉背面押え部は、引掛け部を扉上面に引掛け、第一当接部と第二当接部とが当接しない程度に締結して仮止めした状態において、扉背面側に傾斜していることが好ましい。
【０００９】
また、上述した構成に加え、パッド部材は、弾性及び摩擦力を有し、扉正面押え部と、取手正面押え部と、扉背面押え部と、引掛け部と、に備えられていることが好ましい。
【００１０】
また、上述した構成に加え、締結具は、ねじと、該ねじのねじ頭周囲を樹脂材で被覆して形成されるつまみ部と、からなることが好ましい。
【発明の効果】
【００１１】
請求項１又は２記載の発明によれば、扉正面、取手正面及び扉背面の三箇所を押圧することにより、力を取手部に集中させることなく分散させて収納扉に対して強固に固定することができるとともに、強度の弱い指掛け部及び取手正面の背面周辺の押圧及び締結具との接触を回避し、物品保持具の取付け等による収納扉の破損を防ぐことが可能である。
【００１２】
請求項３記載の発明によれば、パッド部材の適度な摩擦力によって第一取付部材及び第二取付部材のズレを防止するとともに、弾性により扉正面押え部、取手正面押え部、扉背面押え部、及び、引掛け部、と収納扉との隙間をなくし、より強固に取付けることが可能である。
【００１３】
請求項４記載の発明によれば、ドライバ等の道具を使用する、又は、つまみ部を手でつまむ、ことで締結具をねじ込んで締め付けることが可能である。
【図面の簡単な説明】
【００１４】
【図１】本発明の実施形態に係る物品保持具の一例を示す斜視図である。
【図２】図１の物品保持具のみの分解斜視図である。
【図３】図１の物品保持具を収納扉に取付ける取付構造及び取付方法の(a)仮止めして収納扉に引掛けた状態、(b)収納扉に固定した状態、を示す断面図である。
【図４】収納扉（いわゆるＪ型扉）の一例を示す斜視図である。
【発明を実施するための形態】
【００１５】
本発明の実施形態について図面に基づいて詳細に説明する。
【００１６】
（実施形態）
本発明は、図１、４に示すように、収納扉６０の上部に形成され、扉正面６１の上端から内方に湾曲する指掛け部６５と、該指掛け部６５から立ち上がり扉背面６２の上部正面側となる取手正面６４とからなる断面略Ｊ字状の取手部６３を有し、収納扉６０の幅方向に渡って設けられた取手正面６４と、扉正面６１から延設された指掛け部６５と、からなる取手部６３を有する収納扉６０に取付けるための第一取付部材１０と第二取付部材２０とからなる取付構造を備えるとともに、この第二取付部材２０に固定して物品を保持するための保持部材４０と、を備えた物品保持具１００である。
【００１７】
この取付構造は、扉背面６２を押える扉背面押え部１１と、扉上面６６に引掛ける引掛け部１３と、取手正面６４側に配設される第一当接部１２と、からなる第一取付部材１０と、扉正面６１を押える扉正面押え部２１と、取手正面６４側に配設される第二当接部２２と、取手正面６４を押圧する取手正面押え部２３と、からなる第二取付部材２０と、して別体に形成され、これら第一当接部１２と第二当接部２２とを締結して当接させることができる締結具３０と、を主要部とするものである（図２参照）。  
【００１８】
第一取付部材１０は、不等辺の略コ字状に形成された板体からなり、この長辺側を扉背面押え部１１とし、この短辺側を取手正面６４側に配設して、雌ねじ部１４を有する第一当接部１２とし、扉背面押え部１１と第一当接部１２との間を引掛け部１３とするものである。また、第一取付部材１０を扉上面６６に引掛けた状態において、この扉背面押え部１１は、扉背面６２に対して、その先端を扉背面６２側に傾斜させるとよい。さらに、扉背面押え部１１は、引掛け部１３よりも幅広にするとよい。また、この扉背面押え部１１及び引掛け部１３に適度な摩擦力と弾性を有するパッド部材１１ａ、１３aを取付けておくとよい。
【００１９】
第二取付部材２０は、長辺と短辺とが段状に形成され、この長辺側を扉正面押え部２１とし、短辺側を取手正面６４側に配設して、ねじ穴２４を有する第二当接部２２とするものである。また、この第二当接部２２は、平面（図面上方）から見て、第二当接部２２を一辺とする略ロ字状に延設してなる取手正面押え部２３を有している。この取手正面押え部２３は、後述する締結具３０で第一取付部材１０と第二取付部材２０とを締結した際に、この締結具３０の先端を取手正面押え部２３に直接的に接触させないようにするため、開孔部２８を有することが好ましい。また、第一取付部材１０と同様に、扉正面押え部２１及び取手正面押え部２３に適度な摩擦力と弾性を有するパッド部材２１ａ、２３ａを取付けておくとよい。
【００２０】
締結具３０は、一般的に用いられる金属製のねじ３１と、そのねじ頭の周囲を樹脂材等で被覆して形成されるつまみ部３２と、からなり、ドライバ等の道具を使用する、又は、手でつまみ部３２をつまむ、ことで締結具３０をねじ込んで締め付けることが可能なものである。この締結具３０は、第二当接部２２のねじ穴２４に挿通した後、第一当接部１２の雌ねじ部１４にねじ込んで締め付け、第一当接部１２と第二当接部２２とを取手正面６４近傍で締結して当接するものである。
【００２１】
保持部材４０は、第二取付部材２０と同程度の幅を有する略Ｌ字状の板体であって、第二取付部材２０の扉正面押え部２１の下端に形成されている固定部２５、２５にねじ４１、４１で固定することで幅広のフックとなり、フック状のこの保持部材４０にタオルや袋の把持部等を吊って保持することができる。
【００２２】
また、締結具３０周辺を覆い隠すため、第二取付部材２０にカバー５０を取付けてもよく、このカバー５０は、第二取付部材２０の扉正面押え部２１に対してスライドさせ係合部２７と係合するとともに、半円形の突起部２６、２６によって扉正面方向にカバー５０を進出させ、係合部２７と隙間なくしっかりと係合固定する。
【００２３】
次に、上述した取付構造を備えた物品保持具１００を収納扉６０の取手部６３に取付ける取付方法について図３に基づいて詳細に説明する。
【００２４】
(S1)まず、図３(a)に示すように、第二取付部材２０のねじ穴２４に締結具３０を挿通させた後、第一取付部材１０の雌ねじ部１４に締結具３０をねじ込んで、第一当接部１２と第二当接部２２とが当接しない程度に締結して仮止めをする。この仮止め状態の第一取付部材１０及び第二取付部材２０を収納扉６０上方から扉上面６６に引掛け部１３を引掛け、第二取付部材２０の扉正面押え部２１と取手正面押え部２３と、を扉正面６１と取手正面６４とにそれぞれ接触させた状態で収納扉６０に仮固定する。
【００２５】
(S2)さらに、図３(b)に示すように、締結具３０をドライバ等の道具を使用する、又は、手でつまみ部３２をつまむ、ことで締結具３０をねじ込んで締め付け、第一当接部１２と第二当接部２２と当接させる。このとき、第二取付部材２０の扉正面押え部２１が扉正面６１を、取手正面押え部２３が取手正面６４を押圧し、所定の位置に配置させたまま、指掛け部６５近傍を押圧することなく、第一取付部材１０の扉背面押え部１１が扉背面６２に接近してその面を押圧する。この扉背面押え部１１は、その先端側が扉背面６２方向に傾斜しているため、取手正面６４の背面側を押圧することなく、扉背面６２を押圧する。
【００２６】
したがって、本発明の取付構造を備えた物品保持具１００は、扉正面６１、取手正面６４及び扉背面６２の三箇所を押圧することにより、力を集中させることなく分散させて収納扉６０に対して強固に固定することができるとともに、強度の弱い指掛け部６５及び取手正面６４の背面周辺に隙間を生じさせて直接の押圧を回避し、物品保持具１００の取付け等による収納扉６０の破損を防ぐことが可能である。
【００２７】
また、取手正面６４近傍で締結具３０により締結させることで、扉正面６１よりも前方に取付構造が進出しないため、コンパクトに取付けすることができるとともに、第一取付部材１０、第二取付部材２０、保持部材４０、カバー５０等が別体で形成されているため、これらの表面をメッキ加工しやすく、意匠的に極めて優れた物品保持具１００を提供することが可能である。
【００２８】
上記の実施形態では本発明の好ましい実施形態を例示したが、本発明は上記の実施形態に限定されるものではなく、特許請求の範囲に記載した範囲内で改善や変更が可能である。例えば、保持部材４０を棒体またはリングとすることで、タオルを広げて掛けておくことができるようにしてもよい。
【符号の説明】
【００２９】
10…第一取付部材、11…扉背面押え部、12…第一当接部、13…引掛け部、14…雌ねじ部、20…第二取付部材、21…扉正面押え部、22…第二当接部、23…取手正面押え部、24…ねじ穴、25…固定部、26…突起、27…係合部、28…開孔部、30…締結具、31…ねじ、32…つまみ部、40…保持部材、50…カバー、60…収納扉、61…扉正面、62…扉背面、63…取手部、64…取手正面、65…指掛け部、66…扉上面、11a、13a、21a、23a…パッド部材
【図１】
0006517733.tif 000002
【図２】
0006517733.tif 000003
【図３】
0006517733.tif 000004
【図４】
0006517733.tif 000005